【手続補正書】
【提出日】平成22年4月20日(2010.4.20)
【手続補正１】
【補正対象書類名】特許請求の範囲
【補正対象項目名】全文
【補正方法】変更
【補正の内容】
【特許請求の範囲】
【請求項１】
液晶セルと、
該液晶セルの両側で互いにクロスニコルの関係となる第一の偏光素子及び第二の偏光素子と、
複屈折性を示すフィルムが介在することなく該第一の偏光素子の液晶セル側に配置されたポジ型Ａプレートと、
複屈折性を示すフィルムが介在することなく該第二の偏光素子の液晶セル側に配置されたポジ型Ｃプレートと、
を備えた液晶表示装置であって、
該ポジ型Ａプレートのｎｘ方向と該第一の偏光素子の吸収軸とが略直交し、
該ポジ型Ａプレートは、面内に光軸をもち異常光屈折率＞常光屈折率の１軸性位相差フィルムであって、かつ下記式（１）〜（４）を満たし、
該ポジ型Ｃプレートは、面外に光軸をもち異常光屈折率＞常光屈折率の１軸性位相差フィルムであって、かつ下記式（５）〜（８）を満たす
ことを特徴とする液晶表示装置。
１１８ｎｍ≦Ｒｘｙ（５５０）≦１６０ｎｍ      （１）
−１０ｎｍ≦Ｒｙｚ（５５０）≦１０ｎｍ      （２）
０．７５≦Ｒｘｙ（４５０）／Ｒｘｙ（５５０）≦０．９７      （３）
１．０３≦Ｒｘｙ（６５０）／Ｒｘｙ（５５０）≦１．２５      （４）
０ｎｍ≦Ｒｘｙ（５５０）≦１０ｎｍ      （５）
−１０７ｎｍ≦Ｒｘｚ（５５０）≦−７１ｎｍ      （６）
０．７５≦Ｒｘｚ（４５０）／Ｒｘｚ（５５０）≦０．９７      （７）
１．０３≦Ｒｘｚ（６５０）／Ｒｘｚ（５５０）≦１．２５      （８）
上記式中、Ｒｘｙ（λ），Ｒｘｚ（λ），Ｒｙｚ（λ）は、それぞれ波長λｎｍにおける位相差フィルムの位相差Ｒｘｙ，Ｒｘｚ，Ｒｙｚを表し、位相差フィルムの面内方向の主屈折率をｎｘ，ｎｙ（ｎｘ≧ｎｙ）、面外方向の主屈折率をｎｚ、厚みをｄとしたときに、Ｒｘｙ＝（ｎｘ−ｎｙ）×ｄ，Ｒｘｚ＝（ｎｘ−ｎｚ）×ｄ，Ｒｙｚ＝（ｎｙ−ｎｚ）×ｄと定義される。
【請求項２】
前記液晶セルは、大部分の液晶分子が基板に対して略垂直に配向し、かつ面内位相差が略ゼロの状態で黒表示を行うものであり、
前記液晶表示装置は、更に、複屈折性を示すフィルムを介さずに液晶セルと隣接するような関係で配置されたネガ型Ｃプレートを備え、
該ネガ型Ｃプレートは、面外に光軸をもち異常光屈折率＜常光屈折率の１軸性位相差フィルムであり、かつ下記式（Ａ）及び（Ｂ）を満たす
ことを特徴とする請求項１記載の液晶表示装置。
０ｎｍ≦Ｒｘｙ（５５０）≦１０ｎｍ      （Ａ）
０ｎｍ≦Ｒｌｃ（５５０）−Ｒｘｚ（５５０）≦３５ｎｍ      （Ｂ）
上記式中、Ｒｌｃ（λ）は、波長λｎｍにおける液晶セルの位相差Ｒｌｃを表し、液晶セルの異常光屈折率をｎｅ、常光屈折率をｎｏ、厚みをｄ´としたときに、Ｒｌｃ＝（ｎｅ−ｎｏ）×ｄ´と定義される。
【請求項３】
前記ネガ型Ｃプレートは、Ｒｘｚ（４５０）≧Ｒｘｚ（５５０）≧Ｒｘｚ（６５０）を満たすことを特徴とする請求項２記載の液晶表示装置。
【請求項４】
前記液晶表示装置は、液晶セルにおける大部分の液晶分子が基板に対して略平行に、かつ第一の偏光素子の吸収軸に対して略直交に配向した状態で黒表示を行うものであることを特徴とする請求項１記載の液晶表示装置。
【請求項５】
液晶セルと、
該液晶セルの両側で互いにクロスニコルの関係となる第一の偏光素子及び第二の偏光素子と、
複屈折性を示すフィルムが介在することなく該第一の偏光素子の液晶セル側に配置されたポジ型Ａプレートと、
複屈折性を示すフィルムが介在することなく該ポジ型Ａプレートの液晶セル側に配置されたポジ型Ｃプレートと、
を備えた液晶表示装置であって、
該ポジ型Ａプレートのｎｘ方向と該第一の偏光素子の吸収軸とが略直交し、
該ポジ型Ａプレートは、面内に光軸をもち異常光屈折率＞常光屈折率の１軸性位相差フィルムであって、かつ下記式（１）〜（４）を満たし、
該ポジ型Ｃプレートは、面外に光軸をもち異常光屈折率＞常光屈折率の１軸性位相差フィルムであって、かつ下記式（５）〜（８）を満たす
ことを特徴とする液晶表示装置。
１１８ｎｍ≦Ｒｘｙ（５５０）≦１６０ｎｍ      （１）
−１０ｎｍ≦Ｒｙｚ（５５０）≦１０ｎｍ      （２）
０．７５≦Ｒｘｙ（４５０）／Ｒｘｙ（５５０）≦０．９７      （３）
１．０３≦Ｒｘｙ（６５０）／Ｒｘｙ（５５０）≦１．２５      （４）
０ｎｍ≦Ｒｘｙ（５５０）≦１０ｎｍ      （５）
−１０７ｎｍ≦Ｒｘｚ（５５０）≦−７１ｎｍ      （６）
０．７５≦Ｒｘｚ（４５０）／Ｒｘｚ（５５０）≦０．９７      （７）
１．０３≦Ｒｘｚ（６５０）／Ｒｘｚ（５５０）≦１．２５      （８）
上記式中、Ｒｘｙ（λ），Ｒｘｚ（λ），Ｒｙｚ（λ）は、それぞれ波長λｎｍにおける位相差フィルムの位相差Ｒｘｙ，Ｒｘｚ，Ｒｙｚを表し、位相差フィルムの面内方向の主屈折率をｎｘ，ｎｙ（ｎｘ≧ｎｙ）、面外方向の主屈折率をｎｚ、厚みをｄとしたときに、Ｒｘｙ＝（ｎｘ−ｎｙ）×ｄ，Ｒｘｚ＝（ｎｘ−ｎｚ）×ｄ，Ｒｙｚ＝（ｎｙ−ｎｚ）×ｄと定義される。
【請求項６】
前記液晶セルは、大部分の液晶分子が基板に対して略垂直に配向し、かつ面内位相差が略ゼロの状態で黒表示を行うものであり、
前記液晶表示装置は、更に、複屈折性を示すフィルムを介さずに液晶セルと隣接するような関係で配置されたネガ型Ｃプレートを備え、
該ネガ型Ｃプレートは、面外に光軸をもち異常光屈折率＜常光屈折率の１軸性位相差フィルムであり、かつ下記式（Ａ）及び（Ｂ）を満たす
ことを特徴とする請求項５記載の液晶表示装置。
０ｎｍ≦Ｒｘｙ（５５０）≦１０ｎｍ      （Ａ）
０ｎｍ≦Ｒｌｃ（５５０）−Ｒｘｚ（５５０）≦３５ｎｍ      （Ｂ）
上記式中、Ｒｌｃ（λ）は、波長λｎｍにおける液晶セルの位相差Ｒｌｃを表し、液晶セルの異常光屈折率をｎｅ、常光屈折率をｎｏ、厚みをｄ´としたときに、Ｒｌｃ＝（ｎｅ−ｎｏ）×ｄ´と定義される。
【請求項７】
前記ネガ型Ｃプレートは、Ｒｘｚ（４５０）≧Ｒｘｚ（５５０）≧Ｒｘｚ（６５０）を満たすことを特徴とする請求項６記載の液晶表示装置。
【請求項８】
前記液晶表示装置は、液晶セルにおける大部分の液晶分子が基板に対して略平行に、かつ第一の偏光素子の吸収軸に対して略直交に配向した状態で黒表示を行うものであることを特徴とする請求項５記載の液晶表示装置。
【請求項９】
液晶セルと、
該液晶セルの両側で互いにクロスニコルの関係となる第一の偏光素子及び第二の偏光素子と、
複屈折性を示すフィルムが介在することなく該第一の偏光素子の液晶セル側に配置されたポジ型Ｃプレートと、
複屈折性を示すフィルムが介在することなく該ポジ型Ｃプレートの液晶セル側に配置されたポジ型Ａプレートと、
を備えた液晶表示装置であって、
該ポジ型Ｃプレートは、面外に光軸をもち異常光屈折率＞常光屈折率の１軸性位相差フィルムであって、かつ下記式（５）〜（８）を満たし、
該ポジ型Ａプレートは、面内に光軸をもち異常光屈折率＞常光屈折率の１軸性位相差フィルムであって、かつ下記式（１）〜（４）を満たし、
該ポジ型Ａプレートのｎｘ方向と第一の偏光素子の吸収軸とが平行の関係にある
ことを特徴とする液晶表示装置。
１１８ｎｍ≦Ｒｘｙ（５５０）≦１６０ｎｍ      （１）
−１０ｎｍ≦Ｒｙｚ（５５０）≦１０ｎｍ      （２）
０．７５≦Ｒｘｙ（４５０）／Ｒｘｙ（５５０）≦０．９７      （３）
１．０３≦Ｒｘｙ（６５０）／Ｒｘｙ（５５０）≦１．２５      （４）
０ｎｍ≦Ｒｘｙ（５５０）≦１０ｎｍ      （５）
−１０７ｎｍ≦Ｒｘｚ（５５０）≦−７１ｎｍ      （６）
０．７５≦Ｒｘｚ（４５０）／Ｒｘｚ（５５０）≦０．９７      （７）
１．０３≦Ｒｘｚ（６５０）／Ｒｘｚ（５５０）≦１．２５      （８）
上記式中、Ｒｘｙ（λ），Ｒｘｚ（λ），Ｒｙｚ（λ）は、それぞれ波長λｎｍにおける位相差フィルムの位相差Ｒｘｙ，Ｒｘｚ，Ｒｙｚを表し、位相差フィルムの面内方向の主屈折率をｎｘ，ｎｙ（ｎｘ≧ｎｙ）、面外方向の主屈折率をｎｚ、厚みをｄとしたときに、Ｒｘｙ＝（ｎｘ−ｎｙ）×ｄ，Ｒｘｚ＝（ｎｘ−ｎｚ）×ｄ，Ｒｙｚ＝（ｎｙ−ｎｚ）×ｄと定義される。
【請求項１０】
前記液晶セルは、大部分の液晶分子が基板に対して略垂直に配向し、かつ面内位相差が略ゼロの状態で黒表示を行うものであり、
前記液晶表示装置は、更に、複屈折性を示すフィルムを介さずに液晶セルと隣接するような関係で配置されたネガ型Ｃプレートを備え、
該ネガ型Ｃプレートは、面外に光軸をもち異常光屈折率＜常光屈折率の１軸性位相差フィルムであり、かつ下記式（Ａ）及び（Ｂ）を満たす
ことを特徴とする請求項９記載の液晶表示装置。
０ｎｍ≦Ｒｘｙ（５５０）≦１０ｎｍ      （Ａ）
０ｎｍ≦Ｒｌｃ（５５０）−Ｒｘｚ（５５０）≦３５ｎｍ      （Ｂ）
上記式中、Ｒｌｃ（λ）は、波長λｎｍにおける液晶セルの位相差Ｒｌｃを表し、液晶セルの異常光屈折率をｎｅ、常光屈折率をｎｏ、厚みをｄ´としたときに、Ｒｌｃ＝（ｎｅ−ｎｏ）×ｄ´と定義される。
【請求項１１】
前記ネガ型Ｃプレートは、Ｒｘｚ（４５０）≧Ｒｘｚ（５５０）≧Ｒｘｚ（６５０）を満たすことを特徴とする請求項１０記載の液晶表示装置。
【請求項１２】
前記液晶表示装置は、液晶セルにおける大部分の液晶分子が基板に対して略平行に、かつ第一の偏光素子の吸収軸に対して略直交に配向した状態で黒表示を行うものであることを特徴とする請求項９記載の液晶表示装置。
【請求項１３】
液晶セルと、
該液晶セルの両側で互いにクロスニコルの関係となる第一の偏光素子及び第二の偏光素子と、
複屈折性を示すフィルムが介在することなく該第一の偏光素子の液晶セル側に配置された２軸性位相差フィルムと、
を備えた液晶表示装置であって、
該２軸性位相差フィルムのｎｘ方向と該第一の偏光素子の吸収軸とが略直交又は略平行の関係を有し、
該２軸性位相差フィルムは、下記式（９）〜（１２）を満たす
ことを特徴とする液晶表示装置。
２２０ｎｍ≦Ｒｘｙ（５５０）≦３３０ｎｍ      （９）
１１０ｎｍ≦Ｒｘｚ（５５０）≦１６５ｎｍ      （１０）
０．７５≦Ｒｘｙ（４５０）／Ｒｘｙ（５５０）≦０．９７      （１１）
１．０３≦Ｒｘｙ（６５０）／Ｒｘｙ（５５０）≦１．２５      （１２）
上記式中、Ｒｘｙ（λ），Ｒｘｚ（λ）は、それぞれ波長λｎｍにおける位相差フィルムの位相差Ｒｘｙ，Ｒｘｚを表し、位相差フィルムの面内方向の主屈折率をｎｘ，ｎｙ（ｎｘ≧ｎｙ）、面外方向の主屈折率をｎｚ、厚みをｄとしたときに、Ｒｘｙ＝（ｎｘ−ｎｙ）×ｄ，Ｒｘｚ＝（ｎｘ−ｎｚ）×ｄと定義される。
【請求項１４】
前記液晶セルは、大部分の液晶分子が基板に対して略垂直に配向し、かつ面内位相差が略ゼロの状態で黒表示を行うものであり、
前記液晶表示装置は、更に、複屈折性を示すフィルムを介さずに液晶セルと隣接するような関係で配置されたネガ型Ｃプレートを備え、
該ネガ型Ｃプレートは、面外に光軸をもち異常光屈折率＜常光屈折率の１軸性位相差フィルムであり、かつ下記式（Ａ）及び（Ｂ）を満たす
ことを特徴とする請求項１３記載の液晶表示装置。
０ｎｍ≦Ｒｘｙ（５５０）≦１０ｎｍ      （Ａ）
０ｎｍ≦Ｒｌｃ（５５０）−Ｒｘｚ（５５０）≦３５ｎｍ      （Ｂ）
上記式中、Ｒｌｃ（λ）は、波長λｎｍにおける液晶セルの位相差Ｒｌｃを表し、液晶セルの異常光屈折率をｎｅ、常光屈折率をｎｏ、厚みをｄ´としたときに、Ｒｌｃ＝（ｎｅ−ｎｏ）×ｄ´と定義される。
【請求項１５】
前記ネガ型Ｃプレートは、Ｒｘｚ（４５０）≧Ｒｘｚ（５５０）≧Ｒｘｚ（６５０）を満たすことを特徴とする請求項１４記載の液晶表示装置。
【請求項１６】
前記液晶表示装置は、液晶セルにおける大部分の液晶分子が基板に対して略平行に、かつ第一の偏光素子の吸収軸に対して略直交に配向した状態で黒表示を行うものであることを特徴とする請求項１３記載の液晶表示装置。
【請求項１７】
前記ポジ型Ａプレートは、１３０ｎｍ≦Ｒｘｙ（５５０）≦１５０ｎｍを満たすことを特徴とする請求項１〜１２のいずれかに記載の液晶表示装置。
【請求項１８】
前記ポジ型Ｃプレートは、−１００ｎｍ≦Ｒｘｚ（５５０）≦−８０ｎｍを満たすことを特徴とする請求項１〜１２のいずれかに記載の液晶表示装置。
【請求項１９】
前記２軸性位相差フィルムは、２６５ｎｍ≦Ｒｘｙ（５５０）≦２８５ｎｍ、及び、１２５ｎｍ≦Ｒｘｚ（５５０）≦１４５ｎｍを満たすことを特徴とする請求項１３〜１６のいずれかに記載の液晶表示装置。
【請求項２０】
前記液晶セルは、中間調表示時及び白表示時の液晶分子の配向方向を２以上とする配向分割手段、及び、カラー表示を行うための色分離手段の少なくとも一方を含み、かつ
前記液晶表示装置の法線方向から測ったコントラスト比が８００以上であることを特徴とする請求項１〜１９のいずれかに記載の液晶表示装置。
【請求項２１】
前記位相差フィルムの少なくとも１つは、光弾性係数が２０×１０−８ｃｍ２／Ｎ以下であることを特徴とする請求項１〜２０のいずれかに記載の液晶表示装置。
【手続補正２】
【補正対象書類名】明細書
【補正対象項目名】発明の名称
【補正方法】変更
【補正の内容】
【発明の名称】液晶表示装置